(57)【要約】      （修正有）【課題】流水式の製氷装置が動作中に流水音が発生することを抑制する。【解決手段】氷点温度以下に冷却した製氷部材１２に繰り返し流水することにより氷を生成する製氷手段を備えた流水式製氷装置であって、製氷装置１は製氷部材の流水面下端と製氷部材よりも下方に配され、供水手段によって散水された水を回収する水回収タンク３との間に、供水手段によって散水された水を水回収タンク３に導く流水案内部材４２を設ける。【選択図】図２
2007278672.tif 000002
【特許請求の範囲】
【請求項１】
氷点温度以下に冷却される流水面を備える製氷部材と、前記の製氷部材に対して上方位置から水を供給する供水手段と、前記製氷部材よりも下方に配され、前記供水手段によって散水された水を回収する水回収タンクと、前記水回収タンクで回収した水を再び前記供水手段にまで汲み上げる水循環手段とを備える水循環式の製氷装置において、
前記製氷部材の流水面下端と前記水回収タンクとの間に、前記供水手段によって散水された水を前記水回収タンクに導く流水案内部材を設けたことを特徴とする水循環式の製氷装置。
【請求項２】
前記流水案内部材は、前記製氷部材の流水面に連接することを特徴とする請求項１に記載の水循環式の製氷装置。
【請求項３】
前記流水案内部材は、前記流水面の下端と前記水回収タンク側壁上端との間に、傾斜するように設けられるものであって、前記流水面を流下した水は前記流水案内部材上を流れることを特徴とする請求項1又は２に記載の水循環式の製氷装置。
【請求項４】
前記流水案内部材と前記水回収タンクの側壁上端とを連接したことを特徴とする請求項１から３の何れかに記載の水循環式の製氷装置。
【請求項５】
前記流水案内部材に連接する前記水回収タンクの側壁は、前記流水案内部材の傾斜方向と同じ方向に傾斜することを特徴とする請求項３又は４に記載の水循環式の製氷装置。
【請求項６】
前記流水案内部材は、流水方向に平行して延設する整流部を備えることを特徴とする請求項１から請求項５の何れかに記載の水循環式の製氷装置。
【請求項７】
前記の流水案内部材は、親水性の表面処理が施されていることを特徴とする請求項１から請求項６の何れかに記載の水循環式の製氷装置。
【請求項８】
前記水回収タンクの上部に氷を貯氷部に誘導する氷案内板と、前記氷案内板の下部に近接する直接流入防止部材、とを設けたことを特徴とする請求項１から請求項７の何れかに記載の水循環式の製氷装置。
【請求項９】
前記請求項１から請求項８の何れかに記載の水循環式の製氷装置を搭載した冷蔵庫。
【発明の詳細な説明】
【技術分野】
【０００１】
本発明は、水循環式の製氷装置に関する。詳しくは、水を循環させたときに発生する水音を低減する技術に関する。
【背景技術】
【０００２】
従来の製氷方法として、特許文献１に記載の水を循環させて氷を生成する所謂水循環式と呼ばれる製氷方法が知られている。これは、氷点温度以下に冷却した製氷板に水を連続的に供給することによって、製氷板の表面に氷膜を積層させて製氷する方法である。この方法によれば、製氷１回あたりの所要時間が短いことに加え、生成された氷は不純物が少なく透明となる特徴を有する。このため、本製氷方法は業務用製氷装置の分野で広く普及している。
【０００３】
図６は、特許文献１に記載した水循環式の製氷装置の要部断面図である。本図を用い本製氷装置の概要ならびに製氷工程について説明する。
【０００４】
まず、水タンク１０４に貯蔵された水は、循環ポンプ１０５によって散水器１０７にまで汲み上げられ、散水器１０７に設けた散水孔（図示せず）から下方に設けられた製氷板１０３に向けて散水される。散水器１０７から散水された水は、製氷板１０３の表面を伝って流下し、下部の氷案内板１０８に設けたスリット（図示せず）を通過して、再び水タンク１０４に回収される。
【０００５】
製氷板１０３は、蒸発器１０２によって氷点温度以下に冷却されるので、水の循環を開始すると、熱が奪われ水温が下がっていき、氷点温度以下になると、製氷板１０２の表面には、次第に膜状の氷結が始まる。この状態を一定の時間継続すると、所定の厚みを持つ氷が生成される。
【０００６】
製氷板１０３の表面を流れ落ちた水は、空中を水滴となって落下し、氷案内板１０８に衝突した後に、この氷案内板１０８に設けられたスリットをすり抜け、水滴のまま下方の水タンク１０４に落下するので、水タンク１０４内の水と衝突し水音が発生するという問題があった。
【０００７】
特許文献２には、上記特許文献１で生じる水音の発生を低減する方法が開示されている。図７は、特許文献２に記載の水音を低減した構造の製氷装置の縦断面図を示している。本考案は、散水器１１７により製氷板１１３に供給された水が、氷結せずに水タンク１１４に帰還した場合、水面に水滴となって落下する際に生じる水音を、水タンク１１４の水面にフロート板１１９を浮かべる構造によって低減させるものである。
この方法によれば、水滴が直接水面に落下することを抑制することができ、水音の発生を抑制できる。
【０００８】
なお、図中の水タンク１１４の上部には、離氷した氷が水タンク１１４に入らないようにするための固液分離板１１８が設けられている。これにはスリット状の孔（図示せず）が開いているために、水のみが下方の水タンク１１４に入り、氷は入らないようになっている。製氷板１１３は、氷点温度以下に冷却されている蒸発管１１２によって冷却される。
【特許文献１】特開平１１−１８２９９９号公報
【特許文献２】実開平０２−１４０２７５号公報
【発明の開示】
【発明が解決しようとする課題】
【０００９】
しかしながら、特許文献２に係る製氷装置の場合、固液分離板から落下する水が直接水面に滴下することを防止することは可能であるが、製氷板１１３から落下する水は、フロート板１１９に衝突するため、依然として水音は発生するものであった。特に、流水式の製氷装置を家庭用に使用する場合、深夜になると周囲が静かになるため、この水音は実用上の障害となっていた。
本発明は、上記の課題に鑑み、水循環式の製氷装置に於ける水循環時の水音の発生を低減することを目的とするものである。
【課題を解決するための手段】
【００１０】
上記目的を達成するために、本発明に係る製氷装置は、氷点温度以下に冷却される流水面を備える製氷部材と、製氷部材に対して上方位置から水を供与する供水手段と、製氷部材よりも下方に配され、供水手段によって散水された水を回収する水回収タンクと、水回収タンクで回収した水を再び供水手段にまで汲み上げる水循環手段とを備える水循環式の製氷装置において、製氷部材の流水面下端と水回収タンクとの間に、供水手段によって散水された水を水回収タンクに導く流水案内部材を設けるようにしたものである。このようにすることによって、流水面を流れ落ちた水は、流水案内部材を伝いながら水回収タンクに到達できるので、その結果、水滴の発生などを抑えることができ、水音を低減できる。
【００１１】
また、流水案内部材は、製氷部材の流水面に連接するようにしてもよい。このようにすれば、製氷部材を流下した水が途中水滴になる事なくそのまま流水案内部材に流れるので、水滴の発生による水音が発生することを防止できる。
【００１２】
また、流水案内部材は、流水面と水回収タンクを傾斜して連結するものであって、流水面を流下した水はこの傾斜面を流れるようにしてもよい。このようにすれば、流水面を流下した水は水滴となることなく水回収タンクに回収されるので、水音の発生を抑制できる。
【００１３】
また、流水案内部材と水回収タンク側壁上端とを連接してもよい。このようにすれば、流水案内部材から水タンクに水が流れる際に、途中で水滴が発生せず、水音の発生を抑制できる。
【００１４】
また、流水案内部材に連接する水回収タンクの側壁は、流水案内部材の傾斜方向と同方向に傾斜させてもよい。このようにすれば、水回収タンクに到達した水が、水滴となることなく水回収タンクの底部にまで到達しやすくなるので、水音の発生を低減できる。
【００１５】
また、流水案内部材は、流水方向に平行して延設される整流部を備えるようにしてもよい。これにより、流水部材の表面を流れる水流は整流され、水の流れは安定し、その結果、より確実に水音の発生を低減できる。
【００１６】
さらには、流水案内部材は親水性の表面処理をしてもよい。このようにすれば、流水案内部材を流れる水は、滴状ではなく流水案内部材の表面に広がった状態で流下するようになる。これにより、水音の発生を低減できる。
【００１７】
また、水回収タンクの上部に氷を貯氷部に誘導する氷案内板と氷案内板の下部に近接する直接流入防止部材とを設けるようにしてもよい。このようにすれば、落下する氷の表面に付着して氷案内板４３に到達した水分などにより、水回収タンクの上部で水滴が発生しても、直接流入防止部材４４の面上を伝って流下させることができるため、水回収タンク３に直接滴下することを防止でき、水音が低減できる。
【００１８】
本発明の製氷装置は、冷蔵庫に適用することも可能である。このようにすれば、家庭で流水式ならではの透明な氷を従来からの課題であった流水音を極力発生させず製氷できる冷蔵庫を得ることができる。
【発明の効果】
【００１９】
以上説明した様に、本発明によれば、水循環式の製氷装置において水が循環する時に発生する水音を低減できる。
【発明を実施するための最良の形態】
【００２０】
以下、本発明の実施の形態について、図面を参照して説明する。
（実施の形態）
図１は、本発明の実施形態に係る本発明の製氷装置を適用した冷蔵庫４０の概略を示す断面図、図２、３は本発明の実施形態に係る製氷装置の断面図、図４は本発明の実施形態に係る製氷装置の冷凍サイクル説明図、また、図５は本発明の実施形態に係る製氷装置の製氷シーケンスを説明するための製氷動作フロー図をそれぞれ示している。以下、図１から図５を参照して、本発明の実施形態について説明する。
【００２１】
まず、図１を参照して、冷蔵庫４０の概要を説明する。冷蔵庫４０は、上段に冷蔵室３１、中段に冷凍室（図示せず）と貯氷室６、下段に野菜室３３を備える４ドア式の冷凍冷蔵庫である。冷蔵室３１には、給水タンク１３を備える。製氷室３２は、冷蔵庫を正面から見た貯氷室６の後方に位置し、製氷ユニット２、水回収タンク３、循環ポンプ１０等からなる製氷装置１が設けられている。水回収タンク３の上面には、氷と氷結しなかった水とを分離し、氷を貯氷室６に誘導する氷案内板４３を備える。さらに、氷案内板４３の下方には、直接流入防止手段４４が設けられている。なお、製氷室３２は水を循環させるので、水が氷結しない温度に維持することが望ましい。
【００２２】
貯氷室６は、生成した氷を蓄える氷専用室である。この貯氷室６と製氷ユニット２が配置されている製氷室３２とは電動ダンパー１４で空間温度が仕切られる構造となっている。この電動ダンパー１４は、製氷ユニット２で生成した氷を離氷する際に開口され、氷が製氷ユニット２からこの貯氷室６に入るようになっている。
【００２３】
給水タンク１３は、数回分の製氷に用いる水を蓄えておくメインの水タンクである。給水タンク１３の上部には水を補給するための注入口２７、また、給水タンク１３の下部には給水パイプ８に接続するための給水口７が設けられている。この給水パイプ８には制御部（図示せず）からの指令によって制御される電磁弁９が設けられている。制御部から給水開始の指令を受けると、電磁弁９が開き、１回の製氷工程に必要な分量の水が水回収タンク３へ給水される。
【００２４】
水回収タンク３は、水循環経路の途中に介在する水タンクである。この水回収タンク３には、給水タンク１３に接続される給水パイプ８の出口側、および循環ポンプ１０に接続される循環パイプの入り口側が接続されている。
【００２５】
次に、図２を参照して、製氷装置１の構成について説明する。製氷装置１は、氷を生成する製氷部材１２、これを冷却する蒸発器４、製氷部材１２に対して水を供給する散水器１８、散水された水を回収する水回収タンク３、水回収タンク３の水を汲み上げる循環ポンプ１０等により構成される。水回収タンク３の開口部は製氷部材１２の真下ではなく、例えば前後にずれた位置に配置されている。また、製氷部材１２と水回収タンク３との間には、製氷部材１２を流れた水が滑らかに水回収タンク３に回収されるように流水案内部材４２が設けられている。さらに、水回収タンク３の上面には、氷案内板４３が設けられている。なお、この氷案内板４３の下方に、直接流入防止部材４４を設けてもよい。なお、流水案内部材４２および直接流入防止部材４４は、循環する水の水音を低減させる部位であり、詳しくは後述する。
【００２６】
製氷部材１２は、蒸発器４で発生する冷熱を効率よく伝達するために熱伝導率が高い材料で構成することが望ましい。ただし、熱伝達率が高すぎる事に起因して製氷に不具合が生じた場合は、適宜、この熱伝達率を調整してもよい。また、氷を生成する領域と生成しない領域とを異種の材料で構成してもよい。
【００２７】
蒸発器４は、後述する冷凍サイクルの構成要素の一部である。液化した冷媒ガスがこの蒸発器４を経ることによって気化し、その際に発生する吸熱反応によって、蒸発器はマイナス３０度程度にまで冷却される。散水器１８は、循環ポンプ１０で汲み上げた水が、均一に製氷部材１２に散水できるような構成であることが望ましい。例えば、開口部がスリット状であることが好ましい。
【００２８】
流水案内部材４２は、その上端（図中Ａ）で製氷部材１２の下端部と連接している。これにより、製氷部材１２を流下した水は、滴下状態になったりすることなく、そのまま面伝いに流下し流水案内部材４２に到達する。このため、滴下音の発生を抑制できる。
なお、製氷部材１２と流水案内部材４２とが連接した内容で説明したが、流下してきた水が水滴にならないような製氷部材１２と流水案内部材４２の配置関係であるならば、これらが連接されておらず、段差を有する構成や多少隙間が空いている構成であってもよい。
流水案内部材４２の表面を伝わり流れた水は、そのまま水回収タンク３に導かれる。この流水案内部材４２は、図２に示すように、水回収タンク３に向かって傾斜した凹曲面と凸曲面とを組み合わせた形状から成り、製氷部材１２の流水面と水回収タンク３の側面上部（図Ｂ）を接続するものである。
【００２９】
なお、流水案内部材４２は、流水案内部材４２を伝って流れる水が途中で水滴となって飛散したり、水回収タンク３若しくは水回収タンク３内の水面に落下や着水しないような形状であれば、本実施形態に限らない。製氷部材１２から流下した水が、空間を水滴状になって落下することなく、流水案内部材４２を伝って水回収タンク３まで流下することができる形状であれば、例えば、曲面と平面を組み合わせた形状、湾曲した形状などであっても良い。
【００３０】
この流水案内部材４２によれば、流下する水は製氷板２から水回収タンク３に到達するまでの間、滴下状態になったり、途中障害物に衝突することを防止することができる。このために、滴下状態になった水が水面や壁面などに衝突する際に生じる水音の発生を低減できる。
【００３１】
また、この流水案内部材４２によれば、離氷した氷も流水案内部材４２の上を滑りながら落下し氷案内板４３に導かれるため、氷が直接氷案内板４３上に衝突することを減少させることにより、離氷した氷を貯氷室へ入る際に発生する音を低減することも可能である。
【００３２】
また、この流水案内部材４２の下方端は、水回収タンク３の側壁上部に連接している（図中Ｂ）。このようにすると、流水案内部材４２を伝って流水した水が途中水滴になることなく、水回収タンク３にまで到達できる。なお、製流水案内部材４２の下方端と、水回収タンク３の側壁上部とが連接した内容で説明したが、流下してきた水が水滴にならないような製流水案内部材４２の下方端と、水回収タンク３の側壁上部の配置関係であるならば、これらが連接されておらず、段差を有する構成や多少隙間が空いている構成であってもよい。
【００３３】
なお、水回収タンク３の側壁のうち、上記の流水案内部材４２に連接する面は、図２に示したように、タンクの側壁４６を流水案内部材４２と同じ方向に傾斜させてもよい。このようにすれば、水回収タンク３に到達した水は、水回収タンク３内に流入しやすくなるので、水音の低減につながる。また、省スペース化のため、流水案内部材４２が小さい（短い）場合であっても、また、水回収タンク３内の水位が低い場合であっても、流下した水を確実に水面まで滑らかに導くことが可能となる。
【００３４】
なお、この水回収タンク３は、図２のような構成としてもよいし、また、別法として、図３のように、水回収タンクの側壁４６を流水案内部材４２に連接させる代わりに図３の水回収タンク３のＢ点から斜め下方向に傾斜させた平板４５を連接してもよい。
このようにすれば、水回収タンク３の容量は、図２に示した場合に比べて多くなるメリットがある。また、タンク内の水位が低い場合の高低さによる水音の発生も低減できる。
【００３５】
本発明は、本実施例に限らず、本願の目的を達成できるものであれば、他の実施形態も当然に可能である。例えば、流水案内部材４２が水回収タンク３の底部にまで直接到達する構造であってもよい。
【００３６】
また、この流水案内部材４２の表面は、水の流れを安定化するために、水の流水方向に沿って延設される整流部（図示せず）を複数本（例えば２本から６本程度）設けてもよい。この整流部は、例えば断面が略△形状の凹状もしくは凸状で形成されている。このようにすると、流水案内部材４２上を伝う水が整流部（図示せず）に沿って集まり束となって流れるため水の流れは安定し、水音の発生を抑制出来る。この整流部（図示せず）は、例えば、幅と高さが１ｍｍ程度あればよい。また、流水案内部材４２は、親水性の塗料を塗布すると、いわゆる水の濡れ性が向上するので、水は水膜の状態を維持しやすくなるので、水滴の発生を抑制できる。この結果、水音の発生を低減できる。
【００３７】
氷案内板４３は、水回収タンク３内に水のみ回収され、氷はそのまま滑り流れて別場所の貯氷室６に入るようにスリットが設けられている。形状はスリット状でなくてもよい。
【００３８】
直接流入防止部材４４は、氷案内板４３と水回収タンク３との間位置に、氷案内板４３との高低差が少なくなるよう近接して設けられ、この直接流入防止部材４４の一端は、水回収タンク３の底面近傍に設置されており、氷案内板４３から落下した水が滑らかに水回収タンク３内の水面に導かれるように構成されるものである。
【００３９】
流水する水の大半は上記の流水案内部材４２の表面を伝って流水するために、水音源の大半は上記流水案内部材４２により低減可能であるが、この直接流入防止部材４４を設けることにより、落下する氷の表面に付着して氷案内板４３に到達した水分などに対しても、直接流入防止部材４４の面上を伝って流下させることができるため、直接水回収タンク３に滴下することを防止することが可能となるので、一層、水音を低減できる。
【００４０】
次に、図４を参照して、本実施形態に係る製氷ユニットの冷凍サイクルについて説明する。本実施形態に係る冷凍サイクルは、冷媒ガスを圧縮する圧縮機５０、凝縮器５１、製氷用のキャピラリーチューブ５４、製氷用の蒸発器４、冷蔵庫本体用のキャピラリーチューブ５３、ならびに主蒸発器５５、冷媒の流路を切り替えるための３つの電磁三方弁５２、５６、５７などにより構成される。
【００４１】
圧縮機５０によって高温・高圧の状態に圧縮された冷媒（例えばフロン、イソブタン）は、凝縮機５１を経て、放熱しながら凝縮・液化して第１の三方弁５２に至る。この第１の三方弁５２の方向によって冷媒は主キャピラリーチューブ５３側、あるいは、製氷キャピラリーチューブ５４側の何れかの冷媒経路に流れるかが選択される。
【００４２】
製氷用キャピラリーチューブ５４側に流れた冷媒は、減圧されて低温・低圧の冷媒液となり、製氷用の蒸発器４に流入し、製氷部材１２の熱を奪いながら蒸発・ガス化する。一方、主キャピラリーチューブ５３に流入した冷媒も上記と同様に減圧されて低温・低圧の冷媒液となった後、冷蔵庫本体冷却用の主蒸発器５５へと流れる構成となっている。この第１の三方弁５２は、製氷時には冷媒が製氷用キャピラリーチューブ５４に流れるよう、また、製氷を行わない時には主キャピラリーチューブ５３に流れるように切り替えられる。また、製氷時に冷媒の一部が製氷用キャピラリーチューブ５４に分流する構成であってもよい。
【００４３】
生成した氷を離氷するときは、圧縮機５０で圧縮された直後の高温の冷媒ガスが直接製氷用の蒸発器４に流れるように、第２の三方弁５６と第３の三方弁５７を切り替える。このように三方弁の切り替え操作を行うことによって、製氷用の蒸発器４が加熱されて、氷の表面は溶解して氷を製氷部材１２から離氷する。
【００４４】
次に、図５の製氷動作フロー図を参照して、一連の製氷工程の説明を行う。なお、図１から図４を、適宜、説明のために参照する。
【００４５】
ステップＳ１１は、循環水の準備工程である。この動作について、図１を用いて説明する。制御部（図示していない）からの指示によって、給水パイプ８に設けた電磁弁９が所定の時間、開く。その結果、給水タンク１３に貯蔵している水のうち一定量が水回収タンク３に流れる。
【００４６】
ステップＳ１２で、水の循環を開始する。この動作について、図２を用いて説明する。まず、循環ポンプ１０の運転を開始する。すると水回収タンク３に蓄えられた水は、循環戻りパイプ１１を通じ、上方にてくみ上げられ、循環ポンプ１０に到達した後に吐出パイプ１９を通って散水器１８にまで送られる。散水器１８に送られた水は、下方の製氷部材１２に向けて散水される。散水された水は、製氷部材１２の表面を伝って下方まで流下する。下方まで流下した水は水回収タンク３の上部に設けられた流水案内部材４２を介して水回収タンク３に回収される。このようにして水は、繰り返し循環する。
【００４７】
ステップＳ１３は、冷却開始工程である。図４を用い、本動作を説明する。否製氷時には、図４に示す第１の三方弁５２は、製氷用キャピラリーチューブ５４及び製氷用蒸発器４には冷媒が流れない方向に制御されている。これが、本ステップＳ１３によって切り替えられ、製氷用キャピラリーチューブ５４及び製氷用蒸発器４に冷媒が流れる。これにより、製氷用蒸発器４は、マイナス３０度程度に冷却される。
【００４８】
ステップＳ１４は、氷生成工程である。この工程について、図２を用い説明する。ステップＳ１２以降、水は循環している状態にあるが、ステップＳ１３で冷却が開始された結果、製氷部材１２の温度が低下していくにつれて、循環する水の温度も下がっていく。やがて、製氷部材１２の表面付近で水はさらに冷却されて氷点温度以下に下がっていき、ある時点で氷結が始まる。この状態を一定時間維持すると、所定の厚みを有する氷塊となる。
【００４９】
ステップＳ１５は、離氷工程である。この工程について、図４を用いて説明する。氷を離氷するには、製氷部材１２を加熱して氷の一部を融解することによって行う。このために、製氷部材１２に密着させている製氷用の蒸発器４に高温状態にある冷媒ガスを送り込む。これは、圧縮機５０から送り出された高温の冷媒ガスを第２の三方弁５６と第３の三方弁５７を切り替えて、直接製氷用の蒸発器４に送り込むことで可能となる。
【００５０】
ステップＳ１６は、冷却を終了させる工程である。第１の三方弁５２を切り替えるとともに、第２の三方弁５６および第３の三方弁５７をもとに戻すように制御する。ステップＳ１７は、水の循環を停止する工程である。これは、図２で示した循環ポンプ１０を停止させる。ステップＳ１８は、水回収タンク３内の水を排水する工程である。これは図示していない排水管を通じて水を冷蔵庫４０下部の蒸発皿（図示せず）に排水する。
【００５１】
以上の方法により氷は生成できる。なお、氷を離氷する方法は、上記の方法以外であってもよい。例えば、加熱をして離氷するのではなく、機械的に力を加えて離氷するものであっても良い。
【００５２】
以上、説明してきたように、本発明によれば、水循環式の製氷装置において課題となっていた水を循環させたときに発生する水音を低減することが可能となる。
【図面の簡単な説明】
【００５３】
【図１】本発明の製氷装置を適用した冷蔵庫４０の概略図である。
【図２】本発明の製氷装置の概略図である。
【図３】本発明の製氷装置の概略図である。
【図４】本発明の製氷装置を適用した冷蔵庫４０の冷凍サイクル回路図である。
【図５】本発明の製氷装置を適用した冷蔵庫４０の製氷動作シーケンスを示す図である。
【図６】従来の水循環式の製氷装置の要部概略図である。
【図７】別の従来の水循環式の製氷装置の要部概略図である。
【符号の説明】
【００５４】
１  製氷装置
２  製氷ユニット
３  水回収タンク
４  蒸発器
６  貯氷室
１２  製氷部材
３２  製氷室
４０  冷蔵庫
４２  流水案内部材
４３  氷案内板
４４  直接流入防止部材
４５  平板
【図１】
2007278672.tif 000003
【図２】
2007278672.tif 000004
【図３】
2007278672.tif 000005
【図４】
2007278672.tif 000006
【図５】
2007278672.tif 000007
【図６】
2007278672.tif 000008
【図７】
2007278672.tif 000009